(57)【要約】【課題】本発明は通信チャネル使用状態検知方法及びシステムを提供する。【解決手段】通信チャネルの特性により通信チャネルを分類する。通信チャネルの分類結果に基づいて、信号周期比較方法や信号対雑音比比較方法を選択し、対応する通信チャネルの使用状態を検知して、システムの演算量（通信チャネルのパラメータを計算するのに要する回数）や回路の複雑度を低減する。【選択図】図３
2008301467.tif 000002
【特許請求の範囲】
【請求項１】
通信チャネル使用状態検知システムが、入力信号を受信する時、該入力信号が伝送する複数の通信チャネルの使用状態を検知する検知方法であって、
該通信チャネル使用状態検知システムは、
該入力信号の信号エネルギーを算出し、
該入力信号の信号エネルギーから、該複数の通信チャネルの一部の信号周期を計時し、
該入力信号の暗雑音の平均雑音強度値と、該複数の通信チャネルの残部の出力値を取出し、
該残部の出力値が該平均雑音強度値より大きい回数を判断してそれぞれのカウント値を求め、
これらの信号周期の比較結果とこれらのカウント値の比較結果により、該複数の通信チャネルの使用状態を判断する、
ことを含むことを特徴とする通信チャネル使用状態検知方法。
【請求項２】
該一部の信号周期の各々の値が所定値より大きいかを判断することにより、該複数の通信チャネルの一部の使用状態を判断し、
チャネル検知時間が終了する時、これらの信号周期が該所定値より小さい時には、チャネルに信号が無いことを示し、
これらの信号周期が該所定値より大きいか等しい時には、これらの信号周期同士の大きさを比較することにより、該複数の通信チャネルの一部の使用状態を判断することを更に含むことを特徴とする請求項１記載の通信チャネル使用状態検知方法。
【請求項３】
算出した該入力信号の信号エネルギーが所定値より大きい時、該複数の通信チャネルの一部の信号周期を計時し始めることを更に含むことを特徴とする請求項１記載の通信チャネル使用状態検知方法。
【請求項４】
通信チャネル使用状態検知システムが、入力信号を受信する時、該入力信号が伝送する複数の通信チャネルの使用状態を検知する通信チャネル使用状態の検知方法であって、
これらの通信チャネルを複数のグループに分類し、
該入力信号の信号エネルギーを算出し、
信号周期比較方法を選択して、該信号周期比較方法が対応する該複数のグループの一部における通信チャネルの使用状態を検知し、
信号対雑音比比較方法を選択して、該信号対雑音比比較方法が対応する該複数のグループの残部における通信チャネルの使用状態を検知する、
ことを特徴とする通信チャネル使用状態検知方法。
【請求項５】
前記複数の通信チャネルを複数のグループに分類することは該複数の通信チャネルの特性により行われ、
前記複数のグループの一部の各々には単一の通信チャネルが含まれ、
前記複数のグループの残部の各々には特性の類似する複数の通信チャネルが含まれ、
該単一の通信チャネルを含むグループに対して、該信号周期比較方法により検知し、
該複数の通信チャネルを含むグループに対して、該信号対雑音比比較方法により検知することを特徴とする請求項４記載の通信チャネル使用状態検知方法。
【請求項６】
該信号周期比較方法において、
該入力信号の信号エネルギーに基づいて、該複数のグループの一部における通信チャネルの信号周期を計時し、
各信号周期を比較して、該複数のグループの一部における通信チャネルの使用状態を判断することを特徴とする請求項４記載の通信チャネル使用状態検知方法。
【請求項７】
該入力信号の信号エネルギーが所定値より大きい時、該複数のグループの一部における通信チャネルの信号周期を計時し始めることを特徴とする請求項６記載の通信チャネル使用状態検知方法。
【請求項８】
前記信号周期が所定値より小さいかを判断し、
チャネル検知時間が終了すると、該信号周期が該所定値より小さい時、対応するチャネルに信号がないことを示し、
該信号周期が該所定値より小さくない時、前記信号周期同士の大きさを比較することにより、該複数のグループの一部における通信チャネルの使用状態を判断することを特徴とする請求項６記載の通信チャネル使用状態検知方法。
【請求項９】
該信号対雑音比比較方法において、
該入力信号の平均雑音強度値を取得し、
該複数のグループの残部における通信チャネルの出力値を算出し、
それら出力値が該平均雑音強度値より大きい回数を判断してそれぞれのカウント値を求め、
これらのカウント値同士の比較結果により、該複数のグループの残部における通信チャネルの使用状態を判断することを特徴とする請求項４記載の通信チャネル使用状態検知方法。
【請求項１０】
入力信号を受信し、該入力信号が伝送する複数の通信チャネルを分類するチャネル分類ユニットと、
その分類された複数の通信チャネルの一部における信号周期を求める信号周期算出ユニットと、
該複数の通信チャネルの残部についての出力値と平均雑音強度値を算出する信号対雑音比比較ユニットと、
該信号周期算出ユニットからの信号周期間の大きさを比較し、また該信号対雑音比比較ユニットからの出力値が該平均雑音強度値より大きい回数を比較して、各通信チャネルの使用状態を検知するチャネル評価ユニットと、
を含むことを特徴とする通信チャネル使用状態検知システム。
【請求項１１】
該チャネル分類ユニットと該信号周期算出ユニット及び該信号対雑音比比較ユニットとの間に接続されるエネルギー算出と検知トリガーユニットを更に含み、
該エネルギー算出と検知トリガーユニットは、
該入力信号の信号エネルギーを算出し、
該入力信号の信号エネルギーを基に、該信号周期算出ユニットと該信号対雑音比比較ユニットとをトリガーすることを特徴とする請求項１０記載の通信チャネル使用状態検知システム。
【請求項１２】
該信号対雑音比比較ユニットは、
該エネルギー算出と検知トリガーユニットからの信号を濾過する少なくとも一つのフィルター回路と、
雑音エネルギー算出回路と、
該フィルター回路に接続され、該信号対雑音比比較ユニットの通信チャネル内の出力値を算出する少なくとも一つの信号エネルギー算出回路と
を含むことを特徴とする請求項１０記載の通信チャネル使用状態検知システム。
【請求項１３】
該雑音エネルギー算出回路は、該フィルター回路に接続され、該入力信号の暗雑音の平均雑音強度値を算出することを特徴とする請求項１２記載の通信チャネル使用状態検知システム。
【発明の詳細な説明】
【技術分野】
【０００１】
本発明は、検知システムに関し、特に、通信チャネル使用状態検知方法及びシステムに関する。
【背景技術】
【０００２】
多通信チャネル（ｍｕｌｔｉ−ｃｈａｎｎｅｌ）を用いるシステムにおいて、各通信チャネルは、独自の擬似雑音順序（ｐｓｅｕｄｏ−ｎｏｉｓｅ  ｓｅｑｕｅｎｃｅ）であるヘッダーパケット形態を有する。一般の狭帯域システムにおけるチャネル評価方法は、受信端において、信号の重複特性をエネルギーにより検知するか、或いは、受信した信号から、それぞれ、複数組みの独自の擬似雑音順序的フィルターを介して、最大のフィルター出力値を見付けて、通信チャネルの使用状態を判断する。
【０００３】
図１は、従来技術の通信チャネル使用状態検知システムのブロック図である。従来技術の検知システム１０には、入力信号が伝送する多通信チャネルにそれぞれ対応するフィルター回路１１０、１２０、１３０、１４０、１５０、１６０、１７０と、これら回路を介して多通信チャネルの各々に接続されるチャネル評価ユニット１８０とが備えられる。
【０００４】
検知システム１０が入力信号を受信すると、入力信号が伝送する多通信チャネルが、それぞれ対応するフィルター回路１１０、１２０、１３０、１４０、１５０、１６０、１７０により濾過される。これにより、チャネル評価ユニット１８０は、各フィルター回路の出力値から各通信チャネルの使用状態を判断することができる。
【０００５】
しかしながら、上記のような多数のフィルター回路を有する検知システムでは、重大なチャネル雑音や多重通路減衰により、容易に干渉を受けるので、通信チャネルの評価を誤り、そして、転送品質や通信チャネル評価の時間に影響を与える。また、このような検知システムが多通信チャネルのシステムに応用される場合、多数の独自の擬似雑音順序のフィルターが設計されることになるため、システムが複雑になり、また、擬似雑音順序のフィルター回路が常に稼動しているため、システムの消費電力が増加する。
【発明の開示】
【発明が解決しようとする課題】
【０００６】
本発明は、通信チャネル使用状態検知方法及びシステムであり、通信チャネルの特性により通信チャネルを分類し、また、通信チャネルの分類結果に基づいて、信号周期比較方法や信号対雑音比（ＳＮ比）比較方法を選択して、対応する通信チャネルの使用状態を検知する。
【課題を解決するための手段】
【０００７】
本発明に係わる検知システムには、チャネル分類ユニットと、エネルギー算出と検知トリガーユニットと、信号周期算出ユニットと、信号対雑音比比較ユニットと、チャネル評価ユニットとが含まれる。エネルギー算出と検知トリガーユニットは、チャネル分類ユニットに接続される。信号周期算出ユニットは、エネルギー算出と検知トリガーユニットに接続される。信号対雑音比比較ユニットは、エネルギー算出と検知トリガーユニットに接続される。チャネル評価ユニットは、信号周期算出ユニットと信号対雑音比比較ユニットに接続される。
【０００８】
まず、検知システムは、入力信号が伝送する複数の通信チャネルを分類する。分類された通信チャネルの入力信号は、エネルギー算出と検知トリガーユニットに伝送され、入力信号の信号エネルギーが算出される。そして、信号周期算出ユニットと信号対雑音比比較ユニットとがトリガーされる。これらは、通信チャネルの分類結果に基づいて、信号周期比較方法や信号対雑音比比較方法を実行して通信チャネルを検知する。
【０００９】
即ち、トリガーされた信号周期算出ユニットは、信号周期比較方法を実行して、対応する通信チャネルにおける信号周期の計時を開始する。また、トリガーされた信号対雑音比比較ユニットは、信号対雑音比比較方法を実行して、対応する通信チャネルの出力値を算出し、また、入力信号の暗雑音の平均雑音強度値を算出する。
【００１０】
最後に、信号周期算出ユニットが提供した信号周期の大きさを比較し、また、信号対雑音比比較ユニットが提供した出力値が平均雑音強度値より大きい回数を比較して、各通信チャネルの使用状態を検知する。
【発明を実施するための最良の形態】
【００１１】
本発明は、多チャネルを用いる全ての通信システムに適用でき、特に、ＭＢＯＡ（ｍｕｌｔｉ−ｂａｎｄ  ＯＦＤＭ  ａｌｌｉａｎｃｅ）基準の多重チャネル通信システムに適合する。それは、狭帯域システムにおいてチャネルの使用状態を検知できるだけでなく、広帯域システムや超広帯域システム等の、重大なチャネル雑音や多重通路減衰の環境条件下でも使用できる。
【００１２】
図２は、本発明に係わる通信チャネル使用状態検知システムのブロック図である。検知システム２０には、チャネル分類ユニット２１、エネルギー算出と検知トリガーユニット２２、信号周期算出ユニット２３、信号対雑音比比較ユニット２４及びチャネル評価ユニット２５が備えられる。また、これには、ＭＢＯＡシステムにおいて、七つの信号を伝送する通信チャネルが使用される。
【００１３】
チャネル分類ユニット２１は入力信号を受信する。また、ユニット２１は、その入力信号が伝送する七つの通信チャネルの特性に基づいて、該七つの通信チャネルを、第１のグループ、第２のグループ、第３のグループ、第４のグループ及び第５のグループからなる五つのグループに分類する。第１のグループには特性が類似する二つの通信チャネルが、第２のグループにも特性が類似する二つの通信チャネルが、第３から第５のグループの各々には、独自の通信チャネルが含まれる。
【００１４】
エネルギー算出と検知トリガーユニット２２は、チャネル分類ユニット２１に接続される。このユニット２２は、チャネル分類ユニット２１が受信した入力信号の信号エネルギー（これは
【数１】
2008301467.tif 000003
により与えられる）を算出し、入力信号の信号エネルギーの算出結果を基に、信号周期算出ユニット２３や信号対雑音比比較ユニット２４を駆動するかを決める。
【００１５】
信号周期算出ユニット２３は、エネルギー算出と検知トリガーユニット２２に接続される。このユニット２３は、エネルギー算出と検知トリガーユニット２２のトリガーに基づいて駆動される。そして、ユニット２３は、エネルギー算出と検知トリガーユニット２２による入力信号の信号エネルギーの算出結果に従って、第３、第４、第５のグループ内の通信チャネルにおける伝送信号の信号周期をカウント（計時）する。即ち、信号周期算出ユニット２３は、検知された信号エネルギーの変化により、第３、第４、第５のグループ内の通信チャネルの伝送信号周期の計時を始めるかを決める。
【００１６】
信号対雑音比比較ユニット２４は、エネルギー算出と検知トリガーユニット２２に接続される。このユニット２４も、エネルギー算出と検知トリガーユニット２２のトリガーにより駆動される。また、ユニット２４は、入力信号の暗雑音の平均雑音強度値を算出し、また、第１のグループと第２のグループ内の通信チャネルの出力値を算出する。この出力値は、フィルターによる濾過値である。つまり、この出力値は、フィルターの出力端のエネルギー値に相当し、次式により与えられる。
【数２】
2008301467.tif 000004
【００１７】
例えば、本発明の第１の実施例において、信号対雑音比比較ユニット２４には、フィルター回路２４１、フィルター回路２４２、フィルター回路２４１に接続される信号エネルギー算出回路２４３、フィルター回路２４１に接続される雑音エネルギー算出回路２４４及びフィルター回路２４２に接続される信号エネルギー算出回路２４５が備えられる。
【００１８】
例えば、フィルター回路２４１は、第１のグループ内の一つの通信チャネルが伝送する信号を濾過する。フィルター回路２４２は、第１のグループ内のもう一つの通信チャネルが伝送する信号を濾過する。
【００１９】
そのため、信号エネルギー算出回路２４３は、フィルター回路２４１が提供した、第１のグループ内の通信チャネルが伝送する信号の出力値を算出する。雑音エネルギー算出回路２４４は、フィルター回路２４１が提供した信号から、入力信号の暗雑音の平均雑音強度値を算出する。同様に、信号エネルギー算出回路２４５は、フィルター回路２４２が提供した第１のグループ内の通信チャネルが伝送する信号の出力値を算出する。
【００２０】
本発明に係わる第２の実施例において、第１の実施例と異なるのは、雑音エネルギー算出回路２４４が、フィルター回路２４２に接続され、フィルター回路２４２が提供した信号から、入力信号の暗雑音の平均雑音強度値を算出する点である。
【００２１】
本発明は、図２の信号対雑音比比較ユニット２４の構造を例として説明されるが、本発明は、それに制限されず、入力信号の暗雑音の平均雑音強度値を算出でき、また、第１のグループと第２のグループ内の各通信チャネルの信号の出力値を算出できる構造であれば、全て本発明の特許請求の範囲内に含まれる。そのため、第１、第２の実施例のフィルター回路の代わりにチャネル選択フィルターを使用しても良い。
【００２２】
チャネル評価ユニット２５は、信号周期算出ユニット２３と信号対雑音比比較ユニット２４に接続される。このユニット２５は、信号周期算出ユニット２３が提供した第３、第４、第５のグループ内の各通信チャネルの信号周期を受信し、また、信号対雑音比比較ユニット２４が提供した平均雑音強度値と第１、第２のグループ内の各通信チャネルの出力値を受信する。最後に、チャネル評価ユニット２５は、上記の信号周期の長さと、上記の各出力値が平均雑音強度値より大きい回数に基づいて、第１乃至第５のグループの通信チャネルの使用状態を判断する。
【００２３】
図３を参照しながら、本発明の検知システム２０の動作手順を説明する。この図３は、本発明に係わる通信チャネル使用状態検知方法の流れ図である。
【００２４】
まず、検知システム２０は、入力信号を受信すると、入力信号が伝送する七つの通信チャネルを、各通信チャネルの特性を基に、五つのグループに分類する（ステップＳ３１０）。第１と第２の通信チャネルは第１のグループに分類され、第３と第４の通信チャネルは第２のグループに分類され、第５の通信チャネルは独自に第３のグループに分類され、第６の通信チャネルは独自に第４のグループに分類され、第７の通信チャネルは独自に第５のグループに分類される。
【００２５】
分類された後の通信チャネルの入力信号は、エネルギー算出と検知トリガーユニット２２に伝送され、ユニット２２は、入力信号の信号エネルギーを算出する（ステップＳ３２０）。この時、エネルギー算出と検知トリガーユニット２２は、常に、算出された信号エネルギーが第１所定値より大きいかを検知（判断）する（ステップＳ３２１）。
【００２６】
固定の検知時間において、算出された信号エネルギーが当該第１所定値より大きくない時、通信チャネルに信号がないことが示される。検知システム２０は、ステップＳ３１０に戻り、入力信号の受信を試みる。算出された信号エネルギーが当該第１所定値より大きい時、通信チャネルで信号が伝送されることが示され、これにより、ユニット２２は、信号周期算出ユニット２３と信号対雑音比比較ユニット２４をトリガーして駆動する。
【００２７】
取り敢えず信号対雑音比比較ユニット２４は、第１のグループと第２のグループ内の各通信チャネルの信号を確認するため、トリガーされたそのチャネル選択フィルターが、受信した信号が第１のグループか第２のグループによって提供されるかを判断する（ステップＳ３３０）。そして、検知システム２０は、信号周期比較方法又は信号対雑音比比較方法で通信チャネルを検知することを決める。
【００２８】
信号が第１のグループか第２のグループとして提供されていない時、その信号は第３のグループ、第４のグループ或いは第５のグループとして提供されることを示すため、信号周期算出ユニット２３は、第３のグループ、第４のグループ或いは第５のグループとして提供される信号を受信し、信号周期比較方法で通信チャネルを検知する。この時、信号周期算出ユニット２３は、計時（タイミングを計る）を開始する（ステップＳ３４０）。また、常に、受信した信号の信号周期が終了したかを検知する。即ち、入力信号の信号パケットを受信したかを検知する（ステップＳ３４１）。
【００２９】
信号周期が終了していない場合、信号周期算出ユニット２３は、続いて計時を行う。信号周期が終了すると、信号パケットが受信されたことを示すため、信号周期算出ユニット２３は、算出した、第３のグループ、第４のグループ或いは第５のグループの信号周期をチャネル評価ユニット２５に伝送する。チャネル評価ユニット２５は、受信した信号周期の値が第２所定値より大きいかを判断する（ステップＳ３４２）。
【００３０】
固定の検知時間において、信号周期が当該第２所定値より小さい時、当該通信チャネルに信号がないことが示され、当該通信チャネルに対する検知が終了する。そのため、検知システム２０は、ステップＳ３１０に戻り、他の通信チャネルについて、改めて入力信号の受信を試みる。信号周期が該第２所定値以上になる時、検知システム２０が首尾よく該入力信号を受信したことが示される。そのため、チャネル評価ユニット２５は、第３、第４及び第５のグループの各通信チャネルについて、全ての検知を終了したかを判断する。即ち、信号周期算出ユニット２３が提供した全ての第３、第４、第５のグループの通信チャネルの信号周期を受信したかを判断する（ステップＳ３６０）。
【００３１】
一方、ステップＳ３３０において、信号対雑音比比較ユニット２４は、第１のグループのチャネル又は第２のグループチャネルから信号が提供される時、第１のグループ又は第２のグループから提供された信号を受信して算出し、信号対雑音比比較方法を実行して通信チャネルを検知する。その算出では、ユニット２４が第１のグループ又は第２のグループから提供される信号を受信してから、更にこの信号の信号エネルギー（つまり、各フィルタによる対応する通信チャネル中の信号濾過値）を計算するとともに、入力信号の暗雑音の信号対雑音比（ＳＮＲ）を計算する。
【００３２】
この時、ステップＳ３５０において、信号対雑音比比較ユニット２４は、第１のグループの二つの通信チャネルが提供した信号を、それぞれ、フィルター回路２４１を介して、信号エネルギー算出回路２４３と雑音エネルギー算出回路２４４に伝送し、また、フィルター回路２４２を介して、信号エネルギー算出回路２４５に伝送する。信号エネルギー算出回路２４３、２４５は、更に第１のグループ内の各通信チャネルの出力値を算出する。雑音エネルギー算出回路２４４は、更に入力信号の暗雑音の平均雑音強度値を算出する。
【００３３】
そして、算出された平均雑音強度値と第１のグループ内の各通信チャネルの出力値が、チャネル評価ユニット２５に伝送される。チャネル評価ユニット２５は、受信した出力値と平均雑音強度値とをそれぞれ比較する。即ち、出力値が平均雑音強度値より大きい回数を比較する。また、ユニット２５は、出力値が平均雑音強度値より大きいたびに、内部のカウンタ（図に未表示）により１回をカウントアップし、これにより対応するカウント値が得られる（ステップＳ３５１）。
【００３４】
また、チャネル評価ユニット２５は、各通信チャネルに対する検知が終了したかを判断する。即ち、入力信号の平均雑音強度値と第１のグループ内の各通信チャネルの出力値及び第２のグループ内の各通信チャネルの出力値を受信したかを判断する（ステップＳ３６０）。
【００３５】
チャネル評価ユニット２５が、各通信チャネルに対する検知が終了していないことを検知した場合、即ち、各通信チャネルのパラメータを受けていない時、ステップＳ３１０に戻る。続いて各通信チャネル内のパラメータを演算し、チャネル評価ユニット２５が、各通信チャネルのパラメータを受信している間、各通信チャネルのパラメータを演算する。即ち、第１グループ内の通信チャネルのパラメータを受けてから、第２のグループ内の通信チャネルのパラメータを受信する。チャネル評価ユニット２５は、各通信チャネルのパラメータを受けた時、受けたパラメータをそれぞれ算出して、各通信チャネルの使用状態を更に判断する（ステップＳ３７０）。ここで、演算とは、ステップＳ３１０〜Ｓ３１５の工程を経て、各通信チャネルのパラメータを受けることである。パラメータは、通信チャネルの出力値、入力信号の平均雑音強度値のことである。
【００３６】
即ち、チャネル評価ユニット２５は、第１のグループと第２のグループ内の通信チャネルに対して、それぞれ、ステップＳ３５１の対応するカウント値を比較する。最も小さいカウント値を有する通信チャネルが信号を伝送する通信チャネルである。同様に、チャネル評価ユニット２５は、それぞれ、第３のグループ、第４のグループ及び第５のグループ内の通信チャネルのカウント周期を比較する。第２所定値より大きいカウント周期を有する通信チャネルが信号を伝送する通信チャネルである。
【００３７】
本発明によれば、検知システムが狭帯域システムでも広帯域システムでも適用できる利点がある。
【００３８】
また、本発明によれば、検知システムを重大なチャネル雑音や多重通路減衰の環境に応用しても、干渉を受けない利点がある。
【００３９】
また、本発明によれば、検知システムが、複数の通信チャネルを、それが有する特性に基づいて分類する利点がある。
【００４０】
そして、本発明によれば、検知システムが通信チャネルの特性に従って対応する検知方法を選択して通信チャネルの使用状態を検知できる利点がある。
【００４１】
また、本発明によれば、検知システムが、通信チャネルの信号周期により、通信チャネルの使用状態を検知する利点がある。
【００４２】
また、本発明によれば、検知システムが、通信チャネル内の出力値が入力信号の暗雑音の平均雑音強度値より大きい回数を利用して、通信チャネルの使用状態を検知する利点がある。
【００４３】
本発明によれば、検知システムの演算量と回路複雑度が低減される利点が得られる。
【００４４】
以上は、ただ、本発明のより良い実施例であり、本発明は、それによって制限されることが無く、本発明に係わる特許請求の範囲や明細書の内容に基づいて行った等価の変更や修正は、全てが、本発明の特許請求の範囲内に含まれる。
【図面の簡単な説明】
【００４５】
【図１】従来技術の通信チャネル使用状態検知システムのブロック図である。
【図２】本発明に係わる通信チャネル使用状態検知システムのブロック図である。
【図３】本発明に係わる通信チャネル使用状態検知システムの方法の流れ図である。
【符号の説明】
【００４６】
１０        検知システム
１１０      フィルター回路
１２０      フィルター回路
１３０      フィルター回路
１４０      フィルター回路
１５０      フィルター回路
１６０      フィルター回路
１７０      フィルター回路
１８０      チャネル評価ユニット
２０        検知システム
２１        チャネル分類ユニット
２２        エネルギー算出と検知トリガーユニット
２３        信号周期算出ユニット
２４        信号対雑音比比較ユニット
２４１      フィルター回路
２４２      フィルター回路
２４３      信号エネルギー算出回路
２４４      雑音エネルギー算出回路
２４５      信号エネルギー算出回路
２５        チャネル評価ユニット
【図１】
2008301467.tif 000005
【図２】
2008301467.tif 000006
【図３】
2008301467.tif 000007